(57)【特許請求の範囲】
【請求項１】
複数の構成パネルを接合することによって構成されているエレベータのかご室構造であって、
かご室は、両側壁及び後壁の少なくとも３面を有しており、
前記複数の構成パネルには、前記両側壁を構成する凹型パネルが含まれており、
前記凹型パネルは、意匠面と、左右一対の隣接パネル接合面と、手摺部とを備え、
前記一対の隣接パネル接合面は、前記凹型パネル単体の厚み方向でみて、前記意匠面よりもかご室内側に位置しており、
前記手摺部は、前記意匠面におけるかご室内側において該意匠面からかご室内側へと突出しており、
前記凹型パネルは、それぞれ前記意匠面から厚み方向に立ち上がる左右一対の厚み形成面を有し、
前記厚み形成面のそれぞれ一方の縁部は、前記意匠面における対応する左右縁部につながっており、
前記厚み形成面のそれぞれ他方の縁部は、前記隣接パネル接合面につながっており、
前記凹型パネルにおける前記厚み形成面は、かご室内において、前記後壁を構成する構成パネルの前記意匠面と同じ面を構成している、
エレベータのかご室構造。
【請求項２】
複数の構成パネルを接合することによって構成されているエレベータのかご室構造であって、
かご室は、両側壁及び後壁の少なくとも３面を有しており、
前記複数の構成パネルには、前記両側壁を構成する凹型パネルと、前記後壁を構成する凹型パネルとが含まれており、
前記凹型パネルは、意匠面と、前記両側壁の何れかに配置されたときに隣接する前記構成パネルと接合される、左右一対の隣接パネル接合面と、手摺部とを備え、
前記一対の隣接パネル接合面は、前記凹型パネル単体の厚み方向でみて、前記意匠面よりもかご室内側に位置しており、
前記手摺部は、前記意匠面におけるかご室内側において該意匠面からかご室内側へと突出しており、
前記凹型パネルは、それぞれ前記意匠面から厚み方向に立ち上がる左右一対の厚み形成面を有し、
前記厚み形成面のそれぞれ一方の縁部は、前記意匠面における対応する左右縁部につながっており、
前記厚み形成面のそれぞれ他方の縁部は、前記隣接パネル接合面につながっており、
前記両側壁を構成する凹型パネルにおける前記厚み形成面は、かご室内において、前記後壁を構成する凹型パネルにおける前記隣接パネル接合面と、同じ面を構成している、
エレベータのかご室構造。
【請求項３】
前記厚み形成面は、前記意匠面から直角に立ち上がり、前記隣接パネル接合面は、前記厚み形成面から直角に且つ対応する左右の外側に延び、前記意匠面と前記左右一対の隣接パネル接合面とが平行である、
請求項１または２のエレベータのかご室構造。
【請求項４】
前記後壁が前記凹型パネルだけで構成されているか、
前記両側壁が前記凹型パネルだけで構成されているか、あるいは、
前記両側壁及び後壁の全てが前記凹型パネルだけで構成されている、
請求項１乃至３の何れか一項のエレベータのかご室構造。
【発明の詳細な説明】
【技術分野】
【０００１】
本発明は、エレベータのかご室構造に関するものである。
【背景技術】
【０００２】
エレベータは、上下に延びる昇降路と、その中を移動可能に設けられたかごとを備えている。かごの内部には、利用者や荷物等を乗せるかご室が設けられている。通常、かご室は、複数のパネルを接合することで構成されている。
【０００３】
パネル同士の接合としては、例えば、特許文献１に開示されている態様がある。すなわち、この態様では、パネルの端縁をかご室の外側に向けてＬ字状またはコ字状に屈折させておき、隣り合う一対のパネルの突きあう一対の屈折部同士をボルト等の締結具で相互連結させる。
【先行技術文献】
【特許文献】
【０００４】
【特許文献１】特許第３２９０６０１号公報
【発明の概要】
【発明が解決しようとする課題】
【０００５】
ところで、エレベータにおいては、建築費用や建築物のスペース活用の観点から、昇降路のサイズ縮小が強く望まれているところである。ここで、昇降路内には、かごの他に、必要な設備や機器が収容・配置されており、また、かごには、かご室の外にも、必要な構造部材や機能部品が設けられている。特に、かご室を画定するパネルの外面には、上下方向に延びる縦補強材と称する部材が複数、取り付けられており、これら縦補強材がパネルの必要な強度の確保に貢献している。このため、機能的な部材・部品を小型化・省略することなく昇降路のサイズ縮小を実現するためには、かご室内空間のサイズを縮小することが有効な方策と考えることができる。しかしながら、その一方で、かご室内空間を縮小することは、搬送効率を低下させ、また、利用者に窮屈な印象を与えかねないという別な問題を生じうる。
【０００６】
本発明は、上記に鑑みてなされたものであり、搬送効率を大きく低下させることなく且つ昇降路サイズの縮小を図ることができる、エレベータのかご室構造を提供することを目的とする。
【課題を解決するための手段】
【０００７】
上述した目的を達成するための本発明は、複数の構成パネルを接合することによって構成されているエレベータのかご室構造であって、前記複数の構成パネルの少なくとも一つは、凹型パネルであり、前記凹型パネルは、意匠面と、左右一対の隣接パネル接合面と、手摺部とを備え、前記一対の隣接パネル接合面は、前記凹型パネル単体の厚み方向でみて、前記意匠面よりもかご室内側に位置しており、前記手摺部は、前記意匠面におけるかご室内側において該意匠面からかご室内側へと突出している。
【発明の効果】
【０００８】
本発明のエレベータのかご室構造によれば、搬送効率を大きく低下させることなく且つ昇降路サイズの縮小を図ることができる。
【図面の簡単な説明】
【０００９】
【図１】本発明の実施の形態１に係るエレベータのかご室構造を模式的に示す平面図である。
【図２】実施の形態１に係るエレベータのかご室構造のかご室内を出入口から見た図である。
【図３】実施の形態１に係るエレベータのかご室構造の一パネルを示す斜視図である。
【図４】手摺部の構成例を示す図である。
【図５】比較例に関する、図１と同態様の図である。
【図６】比較例に関する、図２と同態様の図である。
【図７】比較例に関する、図３と同態様の図である。
【図８】実施の形態２に関する、図１と同態様の図である。
【図９】実施の形態３に関する、図１と同態様の図である。
【発明を実施するための形態】
【００１０】
以下、本発明に係るエレベータのかご室構造の実施の形態について添付図面に基づいて説明する。なお、図中、同一符号は同一又は対応部分を示すものとする。
【００１１】
実施の形態１．
本発明の実施の形態１として、両側壁及び後壁の少なくとも３面を備えた、平面視、矩形のかご室の例を説明する。図１は、本発明の実施の形態１に係るエレベータのかご室構造を模式的に示す平面図であり、図２は、実施の形態１に係るエレベータのかご室構造のかご室内を出入口から見た図であり、図３は、実施の形態１に係るエレベータのかご室構造の一パネルを示す斜視図である。
【００１２】
エレベータのかご室構造１は、複数の構成パネルを接合することによって構成されており、かご室３の両側壁及び後壁のうち、各側壁が１つの凹型パネル５で構成されており、後壁が２つの非凹型パネル７で構成されている。本実施の形態１では、凹型パネル５及び非凹型パネル７は共に、その大部分が、金属製の板状部材を屈折・折り曲げ加工することによって形成されている。
【００１３】
凹型パネル５は、図３に示されるように、意匠面９と、左右一対の隣接パネル接合面１１と、手摺部１３とを備える。一対の隣接パネル接合面１１は、図３に示すような凹型パネル単体の厚み方向Ｘでみて、意匠面９よりもかご室３の室内側に位置している。なお、図３の符号Ｘ、Ｙ及びＺはそれぞれ、凹型パネル単体でみた厚み方向、高さ方向及び左右方向を示している。
【００１４】
手摺部１３は、意匠面９におけるかご室内側において意匠面９からかご室内側へと突出している。図４に手摺部の構成例を示す。手摺部１３は、第１の例として、図４の（ａ）に示されるように、構成部材１５ａを溶接によって意匠面９に取り付けることで構成してもよい。あるいは、第２の例として、図４の（ｂ）に示されるように、意匠面９を構成する上下２分割タイプのパネル部分をボルト１７で結合する際、構成部材１５ｂでそれら結合部を挟むようにしておき、構成部材１５ｂ及び２つのパネル部分をボルト１７で結合することで、手摺部１３を得るような態様でもよい。さらに、第３の例として、図４の（ｃ）に示されるように、意匠面９を構成する上下２分割タイプのパネル部分をボルト１７で結合する際、構成部材１５ｃを２つのパネル部分に挿入しておき、構成部材１５ｃ及び２つのパネル部分をボルト１７で結合することで、手摺部１３を得るような態様でもよい。
【００１５】
凹型パネル５は、さらに左右一対の厚み形成面１９を備えている。厚み形成面１９はそれぞれ、意匠面９から厚み方向Ｘに立ち上がっている。厚み形成面１９のそれぞれ一方の縁部は、意匠面９における対応する左右縁部につながっており、厚み形成面１９のそれぞれ他方の縁部は、隣接パネル接合面１１の一端につながっている。また、隣接パネル接合面１１の他端からは、折り返し面２１がかご室３の室外側に向けて延びている。
【００１６】
厚み形成面１９は、意匠面９から直角に立ち上がり、隣接パネル接合面１１は、厚み形成面１９から直角に且つ対応する左右の外側に延び、折り返し面２１は、隣接パネル接合面１１から直角に且つかご室外側に延びる。よって、意匠面９と一対の隣接パネル接合面１１とは平行であり、且つ、一対の厚み形成面１９と一対の折り返し面２１とが平行となっている。
【００１７】
次に、以上のように構成されたエレベータのかご室構造の作用について比較例を用いながら説明する。図５、図６及び図７はそれぞれ、比較例の構成に関する、図１、図２及び図３と同態様の図である。
【００１８】
図１に最もよく示されているように、凹型パネル５のそれぞれ後壁側は、対応する非凹型パネル７に接合されている。これは、それぞれの隣接パネル接合面１１に形成された締結具貫通穴２３を貫通するボルト等（図示省略）によって、隣接パネル接合面１１を、非凹型パネル７の対応部に接合することによる。なお、非凹型パネル７の構成は、後述する図７と同様な構成でよい。このような接合によって、図１に示されているように、かご室３の室内後面において、非凹型パネル７の意匠面９と、左右一対の凹型パネル５の対応する一対の厚み形成面１９とが、平行かつほぼ面一になっている。すなわち、凹型パネル５における厚み形成面１９は、かご室内において、隣り合う構成パネルである非凹型パネル７の意匠面９と同じ面（かご室後面）を構成することとなる。また、かご室３の間口寸法としては、両側壁の意匠面９同士の間隔である間口Ａが確保されており、しかも、エレベータのかご室構造１そのものの幅も、意匠面９の厚みを除けば、間口Ａに起因したものとなっている。
【００１９】
これに対し、比較例の構成では、かご室の両側壁及び後壁がすべて、非凹型パネル７で構成されている。そして、非凹型パネル７のそれぞれは、隣接パネル接合面１１’を、意匠面９の左右最外側寄りの部分あるいは意匠面９よりもかご室の室外側の部分に有しており、且つ、縦補強材２５が意匠面９よりもかご室の室外側の部分に取り付けられている。よって、図５から分かるように、両側壁の意匠面９同士の間隔である間口Ａを、本実施の形態１と同様に（図１のように）設定してしまうと、エレベータのかご室構造としての幅は、間口Ａに寸法Ａ’二つ分を加えた寸法（Ａ’＋Ａ＋Ａ’）になる。すなわち、比較例の構成では、かご室構造の幅は、本実施の形態１に対して、左右それぞれで隣接パネル接合面１１’あるいは縦補強材２５の存在の分だけ余分に広がった幅となる。
【００２０】
以上の比較から分かるように、本実施の形態１では、かご室の両側壁に凹型パネルを用いることにより、非凹型パネルを用いた場合と同等のかご室内間口寸法である間口Ａを確保しながらも、かご室構造１そのものの幅は、非凹型パネルを用いた場合よりも縮小することができるという利点が得られている。しかも、そのような利点を獲得しながらも、意匠面の室内側で左右一対の厚み形成面を架橋する手摺部を凹型パネルに含ませることで必要な強度は従前同様、確保することも可能となっている。このように、本実施の形態１のエレベータのかご室構造によれば、搬送効率を大きく低下させることなく且つ昇降路サイズの縮小を図ることが可能となっている。
【００２１】
実施の形態２．
次に、図８に基づいて本発明の実施の形態２について説明する。図８は、本発明の実施の形態２に関する、図１と同態様の図である。
【００２２】
本実施の形態２は、上記実施の形態１においてかご室３の幅方向（左右右方）と奥行方向（前後方向）との適用態様を逆にしたものである。すなわち、上記実施の形態１では、かご室３の両側壁及び後壁のうち、両側壁が凹型パネル５で構成されており、後壁が非凹型パネル７で構成されていたが、本実施の形態２では、かご室３の両側壁及び後壁のうち、後壁に１つの凹型パネル５だけが用いられ、両側壁は複数の非凹型パネル７で構成したものである。
【００２３】
図８に示されるように、後壁である凹型パネル５の左右両側の隣接パネル接合面１１は、対応する非凹型パネル７の隣接パネル接合面１１’に接続される。そして、凹型パネル５における厚み形成面１９は、かご室内において、隣り合う構成パネルである非凹型パネル７の意匠面９と同じ面（かご室側面）を構成することとなる。よって、かご室３の奥行寸法としては、かご室の前面と後壁である凹型パネル５の意匠面９との間隔で奥行Ｂを確保しつつ、エレベータのかご室構造１そのものの奥行きを決める後端位置が、意匠面９の厚みを除けば、奥行Ｂの後端位置に起因したものとなっている。
【００２４】
このように、本実施の形態２によっても、実施の形態１と同様な利点が得られ、すなわち、エレベータのかご室構造の強度は従前同様、確保しつつも、さらに、搬送効率を大きく低下させることなく且つ昇降路サイズの縮小を図ることが可能となっている。
【００２５】
実施の形態３．
次に、図９に基づいて本発明の実施の形態３について説明する。図９は、本発明の実施の形態３に関する、図１と同態様の図である。本実施の形態３は、かご室３の両側壁及び後壁の全てを凹型パネル５だけで構成した態様である。かかる構成は、図９に示されるように、凹型パネル５における厚み形成面１９を、かご室内において、隣り合う凹型パネル５の隣接パネル接合面１１と同じ面を構成するように（ほぼ面一となるように）配列することで得られる。
【００２６】
これにより、本実施の形態３では、かご室３の両側壁に関し、上記実施の形態１の作用が得られており、かご室３の後壁に関し、上記実施の形態２の作用が得られており、すなわち、かご室３の両側壁及び後壁の３面で、凹型パネル５を用いる効果が得られている。
【００２７】
本実施の形態３によっても、上記実施の形態１及び２と同様、エレベータのかご室構造の強度は従前同様、確保しつつ、さらに、搬送効率を大きく低下させることなく且つ昇降路サイズの縮小を図ることが可能となっている。
【００２８】
以上、好ましい実施の形態を参照して本発明の内容を具体的に説明したが、本発明の基本的技術思想及び教示に基づいて、当業者であれば、種々の改変態様を採り得ることは自明である。
【符号の説明】
【００２９】
１  エレベータのかご室構造、３  かご室、５  凹型パネル（構成パネル）、７  非凹型パネル（構成パネル）、９  意匠面、１１  隣接パネル接合面、１３  手摺部、１９  厚み形成面。
【図１】
0005939885.tif 000002
【図２】
0005939885.tif 000003
【図３】
0005939885.tif 000004
【図４】
0005939885.tif 000005
【図５】
0005939885.tif 000006
【図６】
0005939885.tif 000007
【図７】
0005939885.tif 000008
【図８】
0005939885.tif 000009
【図９】
0005939885.tif 000010